【事件の表示】
　平成　８年特許願第　２４４６４号「ディスク装置」拒絶査定に対する審判事件［平成　９年　８月１５日出願公開、特開平　９−２１３０００］について、次のとおり審決する。
【結　論】
　本件審判の請求は、成り立たない。
【理　由】
１．手続の経緯、本願発明　
　特許出願　　　　　　　　　　　　　　　　　　平成　８年　２月　９日
　拒絶理由通知　　　　　　　　　　　　　　　　平成１２年　２月１０日
　意見書・手続補正１　　　　　　　　　　　　　平成１２年　４月２１日
　拒絶理由通知　　　　　　　　　　　　　　　　平成１３年　６月２８日
　意見書・手続補正２　　　　　　　　　　　　　平成１３年　９月　５日
　補正却下（手続補正２）　　　　　　　　　　　平成１３年　９月２０日
　拒絶査定　　　　　　　　　　　　　　　　　　平成１３年　９月２０日
　審判請求　　　　　　　　　　　　　　　　　　平成１３年１１月　１日
　審判請求補正・手続補正３　　　　　　　　　　平成１３年１１月２２日
　前置報告　　　　　　　　　　　　　　　　　　平成１４年　１月３１日
　
　平成１３年１１月２２日付けの手続補正３は却下された。
　
　本願は、平成８年２月９日に出願されたものであって、その請求項１に係る発明は、平成１２年４月２１日付けの手続き補正書により補正された明細書及び図面の記載から見てその特許請求の範囲の請求項１に記載された次のとおりのものと認める（以下、本願発明という。）。　
　
「【請求項１】　記録媒体としてのディスクに記憶された情報を読み取る装着装置と、
　前記ディスクを交換する交換位置との間を移動自在に設けられたトレーと、
　該トレーに設けられ前記ディスクを保持して回転するディスク保持回転手段と、
　該ディスク保持回転手段により保持された前記ディスクを装着位置で回転駆動させて該ディスクに記憶された情報を読み取る読み取りヘッドとを備えてなるディスク装置において、
　前記トレーに装着された前記ディスクが移動する移動経路に設けられ、前記トレーが装着位置に位置したときに前記ディスクから離間し、前記トレーが装着位置から交換位置に移動する過程で前記ディスクに接触する位置に配された制動部材と、
　を具備してなり、
　前記ディスクは、前記ディスク保持回転手段に保持された状態で前記トレーが装着位置から交換位置へと移動するときに、前記制動部材に制動されることを特徴とするディスク装置。」
　
２．引用例　
　これに対して、原査定の拒絶の理由に引用された、本願の出願日前の出願であって、その出願後に出願公開された特願平８−１９１１５号（特開平９−２１２９９９号公報）の願書に最初に添付した明細書及び図面（以下、先願明細書という。）には、以下の記載がある。　
「【特許請求の範囲】
　【請求項１】　ディスク脱着位置とディスク再生位置の間を移動自在に支持されたディスク搬送体と、該ディスク搬送体が前記ディスク再生位置から前記ディスク脱着位置へ移動する期間に於いてのみ前記ディスク搬送体に保持されたディスクの回転を制動する制動手段を備えたことを特徴とするディスク再生装置。
  【請求項２】　ディスク脱着位置とディスク再生位置の間を移動自在に支持されたディスク搬送体と、該ディスク搬送体が前記ディスク再生位置から前記ディスク脱着位置へ移動する期間に於いてのみ前記ディスク搬送体に保持されたディスクと当接する弾性体を備えたことを特徴とするディスク再生装置。
  【請求項３】　ディスク脱着位置とディスク再生位置の間を移動自在に支持されたディスク搬送体と、ディスクを回転させるディスク駆動装置と、該ディスク駆動装置を微小移動可能に前記ディスク搬送体に遊着する遊着手段と、前記ディスク搬送体が前記ディスク再生位置から前記ディスク脱着位置へ移動する期間に於いてのみ前記ディスク駆動装置に保持されたディスクと当接する当接体を備えたことを特徴とするディスク再生装置。」
「【０００６】
  【課題を解決するための手段】
  本発明はかかる点に鑑みてなされたもので、その第１の特徴は、ディスク脱着位置とディスク再生位置の間を移動自在に支持されたディスク搬送体と、該ディスク搬送体が前記ディスク再生位置から前記ディスク脱着位置へ移動する期間に於いてのみ前記ディスク搬送体に保持されたディスクの回転を制動する制動手段を備えたことである。」
「【００１０】
  （１）はディスクであり、音楽や映像や情報等が書き込まれている。（２）はターンテーブルであり、ディスク（１）を載置する。（３）はターンテーブルのシャフトである。（４）（４）（４）（４）は球形のホックであり、発条等により外方向に付勢された状態でシャフト（３）に挿着される。その付勢力により、ディスク（１）がターンテーブル（２）とホック（４）の間に挟持される。
　【００１１】
  （５）は駆動部であり、ターンテーブル（２）を６倍速の3,000rpmで回転させるモータ（図示せず）を具備する。（６）はディスク搬送体であり、少なくともディスク脱着位置とディスク再生位置の間を移動させる移動機構（７）（７）を具備する。この移動機構はディスク搬送体（６）を脱着位置から再生位置へ付勢されたエネルギーを発条に貯え、そのエネルギーによりディスク搬送体（６）を再生位置から脱着位置に移動させる安価な機構である。」
「【００１３】
  （９）は筐体である。（１０）は当接体であり、ゴム等の弾力性を有する材質からなり、筐体（９）に固着される。その固着位置は、ディスク搬送体（６）がディスク再生位置（図２の位置）からディスク脱着位置（図４の位置）へ移動する期間に於いてのみ、当接体（１０）がディスク（１）と当接する位置（図３の位置）となっている。このように、当接部（１０）は再生位置及び脱着位置ではディスク（１）と当接しておらず、再生や脱着に支障をきたさない。この当接部（１０）はディスク（１）が直線上を移動したと仮定すると最も重合する場合で０．５mmディスク（１）に食い込むようになっている。
　【００１４】
  （１１）はプリント基板であり、少なくとも装置の各部を制御する制御回路（１２）とディスク搬送体（６）が再生位置にあることを検出するスイッチ（１３）を具備する。スイッチ（１３）は、ディスクが挿入されたとき自動的に再生させたり、ディスク搬送体（６）が再生位置にきていない時は釦操作に関係なくＳＴＯＰ状態にさせるためのものである。
　【００１５】
  以上の構成に於けるディスク（１）の排出動作を説明する。再生中にＥＪＥＣＴ釦（図示せず）が押されると、制御回路（１２）はディスク搬送体（６）を脱着位置に移動開始させる。そして、スイッチ（１３）がディスク搬送体（６）から離間してＯＦＦ状態になると、制御回路（１２）はターンテーブル（２）の回転を制動するように駆動部（５）を制御する。然し乍ら、ディスク（１）が完全に停止するまでには２秒〜３秒を要する。ディスク搬送体（６）は発条の力で瞬時に移動するために、ディスク（１）は回転したまま、当接部（１０）と当接する。当接部（１０）はディスク（１）にディスク（１）の径方向に最大０．５mm重合するようになっている。この重合は、当接部（１０）の弾力、並びに駆動部（５）とディスク搬送体（６）間の遊着手段（８）の遊動により吸収される。このときの反発力によって生じるディスク（１）と当接部（１０）の摩擦により、ディスク（１）の回転が制動されて停止する。その後、ディスク（１）は当接部（１０）より離間し、脱着位置まで排出される。」
「【００１６】
  このように、ディスク搬送体（６）の移動が安価な発条を用いた機構であっても、当接体（１０）を追加するだけで、ＣＤの６倍で高速回転するディスク（１）を制動することができる。また、この制動力を得るために、耐衝として従来より使用されている遊着手段（８）を兼用しており、本発明の制動手段を安価に構成することができる。」
　
　上記摘記した事項によれば、ディスク脱着位置とディスク再生位置の間を移動自在に支持されたディスク搬送体と、該ディスク搬送体が前記ディスク再生位置から前記ディスク脱着位置へ移動する期間に於いてのみ前記ディスク搬送体に保持されたディスクの回転を制動する制動手段を備えたディスク装置であって、ディスクの具体例としてＣＤが例示された、下記の発明（以下、先願発明という。）が記載されていると認められる。
　
「ディスクに書き込まれた情報を再生位置で再生する再生装置と、
　ディスクを再生する再生位置とディスクを脱着する脱着位置との間を移動するディスク搬送体と、
　ディスク搬送体に設けられディスクを挿着して回転するターンテーブルと、
　ターンテーブルに挿着されたディスクを再生位置で回転駆動させてディスクに書き込まれている情報を再生するディスク装置において、
　ディスク搬送体に着されたディスクが移動する移動経路に固着され、ディスク搬送体が再生位置に位置したときにディスクと当接せず、ディスク搬送体が再生位置から脱着位置に移動する期間に当接する位置に、ディスクに当接する位置に固着された当接体と、
　を具備してなり、
　ディスクは、ターンテーブルに挟持された状態でディスク搬送体が再生位置から脱着位置へと、移動する期間に、当接体と当接し制動されて停止するディスク装置。」
　
３．対比　
　本願発明と先願発明を対比すると、　
　先願発明に記載された「ディスクに書き込まれた情報を再生位置で再生する再生装置」「再生位置」「脱着位置」「搬送体」「ターンテーブル」はそれぞれ、　
　本願発明の「ディスクに記憶された情報を読み取る装着装置」「装着位置」「交換位置」「トレー」「ディスク保持回転手段」に相当し、
　先願発明の「当接体」は、搬送体（トレー）が再生位置（装着位置）に位置したときにディスクから離間し、搬送体（トレー）が再生位置（装着位置）から脱着位置（交換位置）に移動する過程でディスクに接触する位置に配され、ディスクが（ターンテーブル）ディスク保持回転手段に保持された状態で搬送体（トレー）が再生位置（装着位置）から脱着位置（交換位置）へと移動するときにディスクに当接しディスクの回転を制動し停止させており、先願発明の「当接体」は、配置上において補正発明の「制動部材」と同じであり、当接が、ディスクへ接触する意味で相違しないことから、先願発明の「当接体」は、補正発明の「制動部材」に相当する。
　ＣＤを具体例とする点でも一致し、
　両者は、本願の発明の記載に従うと、下記の発明で一致すると認められる。
「記録媒体としてのディスクに記憶された情報を読み取る装着装置と、
　前記ディスクを交換する交換位置との間を移動自在に設けられたトレーと、
　該トレーに設けられ前記ディスクを保持して回転するディスク保持回転手段と、
　該ディスク保持回転手段により保持された前記ディスクを装着位置で回転駆動させて該ディスクに記憶された情報を読み取るディスク装置において、
　前記トレーに装着された前記ディスクが移動する移動経路に設けられ、前記トレーが装着位置に位置したときに前記ディスクから離間し、前記トレーが装着位置から交換位置に移動する過程で前記ディスクに接触する位置に配された制動部材と、
　を具備してなり、
　前記ディスクは、前記ディスク保持回転手段に保持された状態で前記トレーが装着位置から交換位置へと移動するときに、前記制動部材に制動されることを特徴とするディスク装置。」
　
　先願発明には、ディスクに記憶された情報を読み取る手段である「読み取りヘッド」が記載されていない点で一応相違する。
　　
４．判断
　上記相違点を検討する。
　先願発明はＣＤをディスクの具体例とするディスク再生装置であり、ディスクに書き込まれた情報の再生手段については先願明細書には記載されていないが、先願発明もディスクに書き込まれた音楽や映像や情報等の再生のため、光ピックアップ等の読み取りヘッドを備えていることは当然のことであり、先願発明は周知の記載を省略したにすぎないから、実質上の相違点ではない。
　
５．むすび　
　したがって、本願発明は、先願明細書に記載された発明と同一であり、しかも、本願発明の発明者が上記先願明細書に記載された発明の発明者と同一であるとも、また、本願の出願時に、その出願人が上記先願の出願人と同一であるとも認められないので、本願発明は、特許法第２９条の２の規定により、特許を受けることができない。　
　よって、結論のとおり審決する。